(57)【要約】【課題】吸音目的の二重天井構造における中空層の有効活用を図ることができる吸音天井構造を提供する。【解決手段】通気性膜材としての孔あき板１がその上面側に中空層２を形成するように設置された二重天井構造をしており、中空層２に吸音材３が設けられ、ファン９の駆動により、空気が廊下室等の隣室４からトイレ室５に向けて、孔あき板１の孔１ａ…と中空層２を介して流通するようになされている。吸音材３は、中空層２の一部にのみ設けられ、中空層２の残部１１を空気の流通部としているとよい。また、中空層２と隣室４とを連通する通気口１０は、中空層２に対して側面側から対向する壁部８に設けられているとよい。【選択図】      図１
2008008016.tif 000002
【特許請求の範囲】
【請求項１】
通気性膜材がその上面側に中空層を形成するように設置された二重天井構造をしており、前記中空層に吸音材が設けられ、ファンの駆動により、空気が、前記室内から室外に向けて、又は、室外から前記室内に向けて、前記通気性膜材の通気部と中空層を介して流通するようになされていることを特徴とする通気吸音天井構造。
【請求項２】
前記吸音材が中空層の一部にのみ設けられ、中空層の残部を空気の流通部としている請求項１に記載の通気吸音天井構造。
【請求項３】
前記中空層と室外とを連通する通気口が、前記中空層に対して側面側から対向する壁部に設けられている請求項１又は２に記載の通気吸音天井構造。
【発明の詳細な説明】
【技術分野】
【０００１】
本発明は、通気機能をもつ吸音天井構造に関する。
【背景技術】
【０００２】
通気性膜材としての孔あき板がその上面側に中空層を形成するように設置された二重天井構造をしており、前記中空層の一部にのみ吸音材が設けられた吸音天井構造は、従来より知られている。
【特許文献１】特開平１１−１５２８４３号公報
【発明の開示】
【発明が解決しようとする課題】
【０００３】
しかしながら、吸音目的だけのために上記のような中空層を形成することは、スペース的に無駄であると評価される場合がある。
【０００４】
本発明は、上記のような問題点に鑑み、吸音目的の二重天井構造における中空層の有効活用を図ることができる吸音天井構造を提供することを課題とする。
【課題を解決するための手段】
【０００５】
上記の課題は、通気性膜材がその上面側に中空層を形成するように設置された二重天井構造をしており、前記中空層に吸音材が設けられ、ファンの駆動により、空気が、前記室内から室外に向けて、又は、室外から前記室内に向けて、前記通気性膜材の通気部と中空層を介して流通するようになされていることを特徴とする通気吸音天井構造によって解決される。
【０００６】
この天井構造では、通気性膜材がその上面側に中空層を形成するように設置された二重天井構造をし、中空層に吸音材が設けられていることにより、吸音効果が発揮されるのみならず、ファンの駆動により、空気が、前記室内から室外に向けて、又は、室外から前記室内に向けて、前記通気性膜材の通気部と中空層を介して流通するようになされているので、通気性膜材の通気部を利用して中空層を空気の流通に活用することができて中空層の有効活用を図ることができ、中空層を形成することがスペース的に無駄であるという評価を払拭することができる。
【０００７】
しかも、室内の音が、通気性膜材、吸音材の作用によって、室内と室外との間の空気の流通を兼ねる中空層を介して室外に漏れ出ることも防ぐことができて、遮音性能を損なわせることも少ない。
【０００８】
上記の天井構造において、前記吸音材が中空層の一部にのみ設けられ、中空層の残部を空気の流通部としている場合は、中空層における空気の流通抵抗を小さくすることができて、空気の流れをスムーズなものにすることができる。
【０００９】
また、前記中空層と室外とを連通する通気口が、前記中空層に対して側面側から対向する壁部に設けられている場合は、ダクトはもとより、遮音ドアのアンダーカット部を通じた通気をなくすことができて、その室に開き戸や引き戸をはじめとする種々のタイプの遮音ドアを採用することが可能になり、しかも、室内の音が中空層、通気口を通じて室外に漏れ出ることも防ぐことができて遮音性能を損なわせることも少ない。
【発明の効果】
【００１０】
本発明は、以上のとおりのものであるから、吸音目的の二重天井構造における中空層を、室内と室外の空気の流通に有効活用することができ、それでいて、空気を流通させることによって遮音性能が損なわれることも少ない。
【発明を実施するための最良の形態】
【００１１】
次に、本発明の実施最良形態を図面に基づいて説明する。
【００１２】
図１に示す第１実施形態の通気吸音天井構造は、トイレ室５に適用した場合のもので、天井は、通気性膜材としての孔あき板１がその上面側に中空層２を形成するように設置された二重天井構造をしており、前記中空層２には、必要に応じて不織布でカバーしたグラスウール等の繊維系などの吸音材３が中空層２内の一部にのみ設けられている。
【００１３】
そして、中空層２と、室外である廊下室などの隣室４とを連通する通気口６が、中空層２に対して側面側から対向する、ドア７上の壁部８に設けられており、トイレ室５内の排気ファン９を駆動すると、隣室４からの空気が、中空層２の残部空間１１を空気の流通部として、トイレ室５内に向けて、孔あき板１の孔１ａ…を通じて送り込まれ、排気ファン９の備えられた排気口１０から屋外に排気されるようになされている。なお、本実施形態では、中空層２内での空気の流通抵抗を小さくするため、吸音材３は、通気口６と対向する部分を挟む両側に備えられている。１２は便器である。
【００１４】
上記の通気吸音天井構造では、孔あき板１がその上面側に中空層２を形成するように設置された二重天井構造をし、中空層２に吸音材３，３が設けられていることにより、トイレ室５内の音が外に漏れにくくなって吸音効果が発揮されるのみならず、トイレ室５の排気ファン９の駆動により、隣室４の空気がトイレ室５内に向けて、通気口６、中空層２、孔あき板１の孔１ａ…を通じて送り込まれて屋外に排気され、孔あき板１の孔１ａ…を利用して中空層２を屋内の排気に有効活用することができる。
【００１５】
しかも、トイレ室５内の音は、孔あき板１、吸音材３，３の作用によって、中空層２を介して隣室に漏れ出ることも防ぐことができて、遮音性能を損なわせることも少ない。
【００１６】
更に、吸音材３は中空層２の一部にのみ設けられ、中空層２の残部を空気の流通部としているので、中空層２における空気の流通抵抗を小さくすることができて、空気の流れをスムーズなものにすることができ、また、中空層２と隣室４とを連通する通気口６が、中空層２に対して側面側から対向する壁部８に設けられていることで、ダクトはもとより、遮音ドアのアンダーカット部を通じた通気をなくすことができて、トイレ室５に開き戸や引き戸をはじめとする種々のタイプの遮音ドアを採用することが可能になる。
【００１７】
図２に示す第２実施形態の通気吸音天井構造は、中空層２内での吸音材３の配置を千鳥配置にし、残部１１を空気の流通部としたものであり、このように、中空層２内における吸音材３の配置形態は様々なものが採用されてよい。
【００１８】
以上に、本発明の実施形態を示したが、本発明はこれに限られるものではなく、発明思想を逸脱しない範囲で各種の変更が可能である。例えば、上記の実施形態では、中空層２内における空気の流通抵抗を小さいものにするため、吸音材３を中空層２内の一部にのみ設けた場合を示したが、中空層２の全部に吸音材を設け、吸音材の内部を空気が流通するようになされていてもよい。
【００１９】
また、上記の実施形態では、トイレ室の天井に適用した場合を示したが、リビング等の各種室の天井の通気吸音天井構造として構成されていてもよい。
【００２０】
更に、上記の実施形態では、通気性膜材として、孔あき板を用いた場合を示したが、その他、メッシュ材や不織布材などが用いられてもよい。
【図面の簡単な説明】
【００２１】
【図１】第１実施形態の通気吸音天井構造を示すもので、図（イ）は図（ロ）のＩＩＩ−ＩＩＩ線矢視断面側面図、図（ロ）は図（イ）のＩ−Ｉ線矢視断面正面図、図（ハ）は図（イ）のＩＩ−ＩＩ線矢視平面図である。
【図２】第２実施形態の通気吸音天井構造を示すもので、図（イ）は断面側面図、図（ロ）は図（イ）のＩＶ−ＩＶ線矢視平面図である。
【符号の説明】
【００２２】
１…孔あき板（通気性膜材）
１ａ…孔（通気部）
２…中空層
３…吸音材
４…隣室（室外）
５…トイレ室（室内）
６…通気口
８…壁部
９…ファン
１１…残部空間
【図１】
2008008016.tif 000003
【図２】
2008008016.tif 000004